(57)【要約】【課題】節分に際し、縁起の良い和の伝統素材である水引を使用して無病息災を願う厄除け飾りを提供する。【解決手段】複数本の水引が縄状体に撚られて略輪状に形成された輪状部５と、複数本の水引が束ねられた束紐部６と、複数本の水引が所望の形状に結ばれた結び部７と、紙により幣束として形成された幣束部９と、赤唐辛子の形状からなる装飾部８と、稲穂１０とを備え、輪状部５は、その上端近傍で水引により束紐部６と結び部７と幣束部９と装飾部８と稲穂１０と一体化されて固定されていることを特徴とする。【選択図】図１
0003182469.tif 000002
【実用新案登録請求の範囲】
【請求項１】
複数本の水引が縄状体に撚られて略輪状に形成された輪状部と、
複数本の水引が束ねられた束紐部と、
複数本の水引が所望の形状に結ばれた結び部と、
紙により幣束として形成された幣束部と、
赤唐辛子の形状からなる装飾部と、
稲穂とを備え、
前記輪状部は、その上端近傍で水引により前記束紐部と前記結び部と前記幣束部と前記装飾部と前記稲穂と一体化されて固定されていること
を特徴とする水引厄除け飾り。
【請求項２】
前記輪状部の上端近傍で台紙に固定されていること
を特徴とする請求項１記載の水引厄除け飾り。
【請求項３】
前記台紙の上端近傍に略円形状の紐が取り付けられていること
を特徴とする請求項２記載の水引厄除け飾り。
【考案の詳細な説明】
【技術分野】
【０００１】
本考案は、節分の厄除けのための飾りものとして水引を使用した水引厄除け飾りに関する。
【背景技術】
【０００２】
節分は、季節の分かれ目を意味しており、古来より季節の節目には邪鬼が生じると考えられてきた。節分に際し、「鬼は外」の掛け声で豆を捲く風習も、邪鬼を追い払い、無病息災への願いから生じたと言われる。
【０００３】
この節分では、この豆撒き以外にも柊の枝に鰯の頭を刺したものを戸口に立て、鬼打豆と称して炒った大豆をまく習慣もある。この習慣は、各地の都市化に伴い柊の入手が困難となり豆撒きのみが行われる状態となった。
【０００４】
例えば、特許文献１の開示技術では、竹製の串本体の上端部に割目を入れ、当該割目内に柊の葉（造花も含む）を差し込んで挟持し、串本体の割目の下端部適位置にお守り用シールを捲着したものが提案されている。特許文献１の開示技術は、構造が簡単で原材料の入手も容易であり、従来の厄除け飾りの代用として節分の厄除け飾りとしている。
【０００５】
一方、正月の厄除け飾りには、例えば注連飾りがある。注連飾りは、注連縄で作る飾りもので裏白（長寿）、ゆずり葉（家計を次の世代に継ぐ）等の縁起物であしらわれている。正月に注連飾りを飾ることは、古い年の不浄を払うとも、外から災いが内に入らないとも言われている。
【０００６】
例えば、特許文献２の開示技術では、複数本の紐状物を縄状体に撚り上げてなる注連縄、注連飾り等の縄状装飾具において、縄状体を合成樹脂製の紐状物で撚り上げ、また一部装飾を紙製等で形成している。裏白やゆずり葉等の天然素材は、入手困難な場合があり、機械的強度も弱く変色もしやすい。このため、特許文献１の開示技術では、注連飾り等を一部合成樹脂製や紙製等で形成することにより素材の入手が容易となり、かつ耐久性を向上させている。また、この特許文献２の開示技術では、装飾物として模造の伊勢海老を注連飾り本体に締結するために締結用の紐として一部水引が使用されている。
【０００７】
ところで、慶弔用の祝儀袋や結納の置物には、一般的に水引が使用される。水引は、紙縒りに糊をひいて乾かし固めた紙紐に人絹を巻いたもの又は、紙紐に金箔を巻いたものであり、贈り物の包み紙を結んだり、封筒に付けられたりして使用される。水引の起源は、小野妹子が隋から帰った際に、同行した答礼使が持参した貢ぎ物に結ばれた紅白の麻紐にあり、そこから宮廷への献上品には紅白の麻紐で結ぶ習慣が生まれ、室町時代に麻紐の代わりに紙縒りに糊水を引いた水引になったと言われる。このため、水引は、古くより贈り物等に使われてきた和の伝統素材であり、思いを託して水引を結ぶ風習は、日本人の美しい心の表れとも言える。この意味では、水引は、人と人との心が結ばれることを願って使用されるものであり、大切な人への思いや幸せへの願いのこもった縁起の良い素材である。
【先行技術文献】
【特許文献】
【０００８】
【特許文献１】登録実用新案公報３０３６４５７号公報
【特許文献２】公開実用新案公報平２−１７５８５号公報
【考案の概要】
【考案が解決しようとする課題】
【０００９】
特許文献１の開示技術では、節分の厄除け飾りとして提案されているものの、竹製の串と柊の葉のみで構成され非常に簡素なものであり、飾り物として縁起の良い興趣に富んだものではない。また、特許文献１の開示技術では、柊の葉も入手が困難な場合は造花も想定しており、柊の葉を造花とした場合は、何の謂れもない素材で厄除けとするのも抵抗がある場合がある。
【００１０】
また、特許文献２の開示技術では、装飾物の締結用に一部水引が使用されているものの、注連飾りの飾り物全体として水引を使用しているものではない。また、特許文献２の開示技術は、正月用の注連飾りであるため、節分に飾る飾り物として作成されたものでもない。このため、水引を全体に利用した節分の厄除け飾りとしての事例は見当たらない。
【００１１】
そこで、本考案は、上述した問題点に鑑みて案出されたものであり、その目的とする
ところは、節分に際し、縁起の良い和の伝統素材である水引を使用して無病息災を願う水引厄除け飾りを提供することにある。
【課題を解決するための手段】
【００１２】
前記課題を解決するために、本考案に係る水引厄除け飾りは、次のように構成する。
【００１３】
本願第１の考案は、複数本の水引が縄状体に撚られて略輪状に形成された輪状部と、複数本の水引が束ねられた束紐部と、複数本の水引が所望の形状に結ばれた結び部と、
紙により幣束として形成された幣束部と、赤唐辛子の形状からなる装飾部と、稲穂とを備え、輪状部は、その上端近傍で水引により束紐部と結び部と幣束部と装飾部と稲穂と一体化されて固定されていることを特徴とする。
【００１４】
本願第２の考案は、第１の考案において、輪状部の上端近傍で台紙に固定されていることを特徴とする。
【００１５】
本願第３の考案は、第２の考案において、台紙の上端近傍に略円形状の紐が取り付けられていることを特徴とする。
【考案の効果】
【００１６】
第１の考案によると、束紐部、輪状部及び結び部に水引を使用していることにより、古くより慶弔の場に贈り物等に使用されてきた和の伝統素材である水引を主体として縁起良く節分の厄除けのための水引厄除け飾りとして各所を色彩豊かに上品に飾ることができる。また、水引は、色落ちや変色がしにくいため、他の素材を使用した飾り物よりも長く使用することができる。更に、水引厄除け飾りは、職人の手作りで一つひとつ丁寧に作られるため、飾る場所に応じた大きさや形状を作成することができコンパクトな水引厄除け飾りとして作ることができる。また、幣束部は、神道の祭祀で用いられる神聖な飾りで、幣束部の白色は吉兆を表す紅白の一方を表している。赤唐辛子の形状からなる装飾部は、厄を祓う効果があるとされ、装飾部の赤唐辛子の赤色は吉兆を表す紅白の他方を表している。稲穂は、豊穣と無病息災を願う象徴を表している。これらの幣束部、赤唐辛子の形状からなる装飾部及び稲穂をそれぞれ飾り物として飾ることにより、より縁起良く上品に節分の水引厄除け飾りとすることができる。
【００１７】
第２の考案では、第１の考案に係る水引厄除け飾りを台紙に取り付けることで、台紙の色やデザインにより、更に束紐部、輪状部及び結び部の水引、装飾部、幣束部、稲穂の色や形とのコントラストが生まれ、更に水引厄除け飾りを引き立てることができる。
【００１８】
第３の考案によると、台紙に取り付けられた略円形状の紐があることで、節分の水引厄除け飾りを各種ドアや部屋の壁にあるフックに吊り下げて使用することができる。
【図面の簡単な説明】
【００１９】
【図１】本考案を適用した水引厄除け飾りの正面図である。
【考案を実施するための形態】
【００２０】
以下、本考案の実施の形態に係る水引厄除け飾りについて、図面を参照しながら詳細に説明する。
【００２１】
図１は、本考案を適用した水引厄除け飾りの正面図である。
【００２２】
図１に示す水引厄除飾り１は、水引厄除飾り本体２と、水引厄除飾り本体２が略中央に取り付けられた台紙３と、台紙３の上端近傍に取り付けられた壁掛け紐４とを備える。
【００２３】
水引厄除け飾り本体２は、複数本の水引が縄状体に撚られて略輪状に形成された輪状部５と、複数本の水引が束ねられた束紐部６と、複数本の水引が所望の形状に結ばれた結び部７と、紙により幣束として形成された幣束部９と、赤唐辛子の形状からなる装飾部８と、稲穂１０とを備える。
【００２４】
輪状部５は、例えば、金色の細い水引を束ねたものと、金色と赤色の混合の細い水引を束ねたものとを注連縄のように撚って太い縄状体として、その縄状体が略輪状に形成され、その縄状体の上部が交差されて、その縄状体の先端が左右に略水平に延ばされて形成される。この輪状部５は、同じ形状の大小二つの輪状部を作り、それぞれ大輪状部５１と小輪状部５２として、大輪状部５１の内側に小輪状部５２を収めて形成されている。
【００２５】
束紐部６は、例えば、白色の細い水引と、白色と金色の混合の細い水引とが複数本束ねられている。この束紐部６は、輪状部５の上端近傍に配置させて輪状部５と共に全体を支持するための骨格としての役目を果たしている。
【００２６】
結び部７は、例えば、金色の水引を複数本束ねて蝶結び状に結ばれて形成された結び目７１と、結び目７１から左右に蝶結びの際に環状に形成された環状部７２と、結び目７１から左右下方に先端が延出された先端部７３とから形成される。しかし、結び部７は、これに限定されることなく、所望の形状に合せた各種の結び方で形成されていてもよい。
【００２７】
幣束部９は、白色の紙により幣束として形成されている。幣束部９の幣束は、神道の祭祀で用いられる神聖な飾り物である。幣束部９の白色は吉兆を表す紅白の一方を表している。
【００２８】
装飾部８は、例えば、赤色の和紙により模造の赤唐辛子として形成された赤唐辛子部本体８１と、赤唐辛子部本体８１の上端にこげ茶色のフローラテープにより形成された茎部８２とからなる。この装飾部８の赤唐辛子は、厄を祓う効果があるとされている。また、赤唐辛子部本体８１の赤色は吉兆を表す紅白の他方を表している。この装飾部８は、模造の赤唐辛子として形成されているが、これに限定されることなく、本物の赤唐辛子や和紙、フローラテープ以外の素材を使用して模造の赤唐辛子からなる装飾部８を形成してもよい。また、装飾部８は、赤唐辛子以外にも厄除けになる素材をモチーフとした装飾物として形成されていてもよい。
【００２９】
稲穂１０は、複数の本物の稲穂が使用されている。しかし、これに限定されることなく、造花として紙等の素材で模造の稲穂を形成して水引厄除け飾り本体２に取り付けてよい。
【００３０】
台紙３は、例えば、金色と赤色とでデザインされた紙や黒色の紙で形成されており、水引厄除け飾り本体２に使用した水引、和紙、フローラテープ、紙、稲穂の色、形、大きさに合わせて、台紙３の色やデザインを作成する。これにより、台紙３と各パーツとの色や形とのコントラストが生まれ、更に水引厄除け飾り１を引き立てることができる。
また、台紙３には、図示しない２つの貫通孔があり、その貫通孔に水引を通して、水引厄除け飾り本体２が台紙３に取り付けられている。
【００３１】
壁掛け紐４は、赤色の綿等の紐であり、台紙３の図示しない２つの貫通孔に略円形状に貫通されて台紙３に取り付けられている。この壁掛け紐４があることにより、水引厄除け飾り１を各種ドアや部屋の壁にあるフックに吊り下げて使用することができる。
【００３２】
水引厄除け飾り１は、古くより慶弔の場に贈り物等に使用されてきた和の伝統素材である水引を束紐部、輪状部及び結び部に使用していることにより、節分の厄除けのための水引厄除け飾りとして縁起良く各所を色彩豊かに上品に飾ることができる。
【００３３】
また、水引は、素材として色落ちや変色がしにくいため、水引厄除け飾り１は、節分の厄除け飾りとして長く使用することができる。
【００３４】
更に、水引厄除け飾り１は、職人の手作りで一つひとつ丁寧に作られるため、飾る場所に応じた大きさや形状を作成することができコンパクトな飾り物として作ることができる。
【００３５】
また、水引厄除け飾り１は、一般的には室内を飾る飾り物として提供されることを想定しているが、台紙３から取り外して、正月の注連飾りのように自動車のバンパー等、各所に取り付けて厄除けの飾り物としても利用することができる。
【００３６】
水引厄除け飾り１の構成は、一例として、金色、白色、赤色を主体としたものを説明してきたが、上述した色、大きさ、形状に限定されることなく、飾る場所に合わせて、各パーツの色、大きさ、形状を形成してもよい。
【００３７】
次に水引厄除け飾り１の組み立て方について説明する。
【００３８】
まず、金色の細い水引を束ねたものと、金色と赤色の混合の細い水引を束ねたものとを注連縄のように撚って太い縄状体として、その縄状体を略輪状にして、その縄状体の上部を交差させて、縄状体の先端を左右に略水平に伸ばして大小二つの大輪状部５１と小輪状部５２を形成する。この大輪状部５１の内側に小輪状部５２を収めて輪状部５を形成する。
【００３９】
次に、白色の細い水引と、白色と金色の混合の細い水引とを複数本束ねて束紐部６を形成する。
【００４０】
次に、金色の水引を複数本束ねて蝶結び状に結ばれて形成された結び目７１と、結び目７１から左右に蝶結びの際に環状に形成された環状部７２と、結び目７１から束紐部６の左右下方に先端が延出された先端部７３とからなる結び部７を形成する。
【００４１】
次に、白色の紙により幣束として幣束部９を形成する。また、赤色の和紙により模造の赤唐辛子として赤唐辛子部本体８１を形成し、更に赤唐辛子部本体８１の上端にこげ茶色のフローラテープにより茎部８２とを形成して装飾部８を形成する。更に、複数の本物の稲穂１０を用意する。
【００４２】
大輪状部５１、小輪状部５２からなる輪状部５と束紐部６と結び部７と幣束部９と装飾部８と稲穂１０とを水引により輪状部５の上端近傍で一体化して固定し、水引厄除け飾り本体２を形成する。
【００４３】
その後、台紙３に図示しない２つの貫通孔を設けて、その貫通孔に略円形状に壁掛け紐４を通して壁掛け紐４を台紙３に取り付ける。
【００４４】
更に台紙３に壁掛け紐４を通した貫通孔とは異なる図示しない２つの貫通孔を設けて、その貫通孔に水引を通して、水引厄除け飾り本体２を台紙３に固定して、水引厄除け飾り１が完成する。
【００４５】
上述の水引厄除け飾り１の組み立て方は、水引厄除け飾り本体２を完成させてから台紙３に固定する場合を示しているが、各パーツを形成して各パーツを同時に台紙３に水引により固定することで水引厄除け飾り１として形成してもよいのは勿論である。
【００４６】
以上、本考案の実施形態の例について詳細に説明したが、前述した実施形態は、何れも本考案を実施するにあたって具体化の例を示したものに過ぎず、これらによって本考案の技術的範囲が限定的に解釈されてはならないものである。
【符号の説明】
【００４７】
１          水引厄除け飾り
２          水引厄除け飾り本体
３          台紙
４          壁掛け紐
５          輪状部
６          束紐部
７          結び部
８          装飾部
９          幣束部
１０        稲穂
５１        大輪状部
５２        小輪状部
７１        結び目
７２        環状部
７３        先端部
８１        赤唐辛子部本体
８２        茎部
【図１】
0003182469.tif 000003